(57)【特許請求の範囲】
【請求項１】
座部と、該座部の一端側に傾動可能に連結された背もたれ部とを備えた担架と、
浴槽と、該浴槽内の底部に支持されていて担架を載せるための支持台とを備えた入浴装置とからなる入浴システムにおいて、
前記背もたれ部と座部を連結していて収縮させることで前記背もたれ部を倒伏させる搬送姿勢と伸長させることで前記背もたれ部を起立させる入浴姿勢とをとることができるロック付き伸縮アームが設けられ、
前記担架が前記支持台上に載せられた際に、入浴姿勢で前記背もたれ部の傾動を阻止する浮き止め機構が設けられたことを特徴とする入浴システム。
【請求項２】
前記浮き止め機構は、前記支持台と前記背もたれ部との一方に設けられた係止部と、他方に設けられた被係止部とからなり、
前記担架が前記支持台上に移動した際に、前記係止部と前記被係止部とが嵌合することを特徴とする請求項１に記載の入浴システム。 
【発明の詳細な説明】
【技術分野】
【０００１】
この発明は、病人や寝たきりの老人、身体障害者等の要介助者を入浴させるための入浴システムに関する。
【背景技術】
【０００２】
一般に、寝たきりの老人や身体障害者や手術直後の患者のような要介助者を入浴させる入浴システムとして、要介助者が載せられた担架をストレッチャーで入浴装置の浴槽に横付けし、このストレッチャー上から浴槽内の支持台に移動させるよう構成される入浴システムが知られている。この入浴システムは、浴槽または支持台のうち何れか一方を平行移動によって昇降させて、要介助者を湯に浸からせるようになっている（例えば特許文献１参照）。このような入浴システムによれば、要介助者を介護する介護者が、比較的労力を必要とせず要介助者を入浴させるようになっている。
【０００３】
また、担架は通常、要介助者の下半身が載せられる座部と、この座部の一端側に傾動可能に設けられ要介助者の上半身が載せられる背もたれ部とから構成されており、要介助者を搬送する際には背もたれ部を倒伏させた搬送姿勢とされ、要介助者を入浴させる際には背もたれ部を座部に対して所定角度で傾斜させた入浴姿勢とされる。
【０００４】
担架が入浴姿勢とされている際には、座部の一端側と背もたれ部の裏面とを連結するアームが所定の角度でロックされており、これによって背もたれ部は所定の傾斜角度に固定されている。この状態において、背もたれ部を座部に対して起立する方向に僅かに移動させるとアームのロックが解除され、背もたれ部を倒伏させて搬送姿勢とすることができる。
【特許文献１】特開平１１−２０６８４１号公報
【発明の開示】
【発明が解決しようとする課題】
【０００５】
ところで、要介助者の上半身が載せられている担架の背もたれ部は、ブロー成形により形成されているため内部に空気層が存在し、湯に浸かった状態では浮力によって浮き易い構造とされている。従って、担架が入浴姿勢の状態で湯に浸かっている際には、場合によっては、浮力によって背もたれ部が座部に対して起立する方向に移動することでアームのロックが解除されてしまい、背もたれ部が倒伏してしまうおそれがあり、要介助者を安全かつ快適に入浴させることができないという問題があった。
【０００６】
本発明はこのような課題に鑑みてなされたものであり、浮力による担架の背もたれ部の移動を防止して、要介助者を安全かつ快適に入浴させる入浴システムを提供することを目的とする。
【課題を解決するための手段】
【０００７】
前記課題を解決するため、この発明は以下の手段を提案している。
即ち、本発明に係る入浴システムは、座部と該座部の一端側に傾動自在に連結された背もたれ部とを備えた担架と、浴槽と、該浴槽内の底部に支持されていて担架を載せるための支持台とを備えた入浴装置とからなる入浴システムにおいて、前記背もたれ部と座部を連結していて収縮させることで前記背もたれ部を倒伏させる搬送姿勢と伸長させることで前記背もたれ部を起立させる入浴姿勢とをとることができるロック付き伸縮アームが設けられ、前記担架が前記支持台上に載せられた際に、入浴姿勢で前記背もたれ部の傾動を阻止する浮き止め機構が設けられたことを特徴としている。
【０００８】
このような特徴の入浴システムによれば、担架が支持台上に載せられた際に、浮き止め機構によって該担架の背もたれ部の傾動が阻止されるように固定される。これによって、浴槽内に湯が溜められて担架が湯に浸かり、背もたれ部に浮力が作用した場合であっても、この浮力によって背もたれ部が座部に対して起立する方向に移動することはないため、背もたれ部の傾斜角度を一定に保つことができる。
【０００９】
また、本発明に係る入浴システムにおいて、前記浮き止め機構は、前記支持台と前記背もたれ部との一方に設けられた係止部と、他方に設けられた被係止部とからなり、前記担架が前記支持台上に移動した際に、前記係止部と前記被係止部とが嵌合することを特徴としている。
【００１０】
担架が支持台上に移動した際に、支持台と背もたれ部との一方に設けられた係止部が、他方に設けられた被係止部と嵌合することによって、背もたれ部が固定される。これにより、担架を支持台上に移動させる動作をもって、背もたれ部を固定して傾斜角度を一定とすることができるため、特別な動作を必要とせず容易に背もたれ部の浮き防止を図ることが可能となる。
【発明の効果】
【００１１】
本発明における入浴システムによれば、浮き止め機構により担架の背もたれ部の傾動が阻止されることによって、浮力による担架の背もたれ部の移動を防止することができ、要介助者を安全かつ快適に入浴させることが可能となる。
【発明を実施するための最良の形態】
【００１２】
以下、本発明の実施の形態である入浴システムについて、図１から図９を用いて詳細に説明する。図１は本発明の一実施形態に係る入浴システムを示す側面図、図２は入浴システムの浮き止め機構付近の拡大図、図３は入浴システムの浮き止め機構付近の斜視図、図４は入浴装置の平面図、図５は担架の側面図、図６は担架の平面図、図７から図９はロック付き伸縮アームの側断面図及び機構の説明図である。本実施形態に係る入浴システム６０は、寝たきりの老人や身体障害者や手術直後の患者のような要介助者を入浴させる際に使用され、図１に示すように、入浴装置１０と、担架３０とから概略構成されている。
【００１３】
入浴装置１０は、図１及び図４に示すように、入浴装置本体２と、この入浴装置本体２の上部に開口して設けられる浴槽１と、浴槽１の底部１ａに配置される支持台３と、入浴装置本体２の第一側壁２ａに設けられる扉部４と、入浴装置１０の操作を行うための操作部５とを備えている。
【００１４】
図４に示すように、この入浴装置１０の第一側壁２ａの上部には開口部２ｂが形成されており、この第一側壁２ａに設けられた扉部４は、該第一側壁２ａの高さ方向に沿って移動可能に構成され、開口部２ｂを開閉することができるように構成されている。また、この扉部４が上方へと移動され開口部２ｂを閉じた状態において、扉部４の浴槽１側の面に設けられるシール部材（図示省略）が、この開口部２ｂの上方を除く周囲三方を液密に密閉させることができるように構成されている。
【００１５】
また、底部１ａは、図１に示すように、浴槽１の長手方向に傾斜し形成されている。底部１ａは、操作部５の側を傾斜の上方として、操作部５の反対側に向かうにつれ徐々に深くなるよう形成されている。また壁部１ｂは、この浴槽１の長手方向の操作部５の側と反対側の側板を形成している。壁部１ｂは前記長手方向に傾斜されており、該長手方向の操作部５側と反対側を傾斜の上方として、操作部５側に向かうにつれ徐々に深くなるよう形成され、底部１ａとこの浴槽１の最深部で繋がっている。
【００１６】
さらに、底部１ａの上面には、支持台３が配置されている。この支持台３は、図４に示すように、例えば浴槽１の長手方向と直交する向きに平行に離間して延在する２本のガイドレール３ａ、３ｂと、このガイドレール３ａ、３ｂを上面に固定し浴槽１の長手方向に平行に離間して延在する２本の角形基材３ｃと、これら角形基材３ｃの操作部５側の端部に配設される２つの回転支軸３ｄとを備えている。ガイドレール３ａ、３ｂは、その形状が互いに向かい合わされた対称形とされて、角形基材３ｃの上面に固定されて配置されている。これらのガイドレール３ａ、３ｂはその本体が角棒状の形状を有しており、その扉部４側の端部は先端がテーパ状に形成されている。
【００１７】
図１及び図４に示すように、ガイドレール３ａ、３ｂは、その先端のテーパ状の上面が、扉部４側からその反対側に行くにしたがって徐々に上方へと向かって傾斜するように形成されている。また、これら向かい合うガイドレール３ａ、３ｂの先端外側に形成されるテーパ状の外面は、それぞれ扉部４側からその反対側に行くにしたがって徐々に外方へと向かって傾斜するように形成されている。ガイドレール３ａ、３ｂの内側には、これらガイドレール３ａ、３ｂに沿うようにしてＬアングル３ｉ、３ｊがそれぞれのガイドレール３ａ、３ｂにその断面Ｌ字状の一の外面を接合させて、他の外面を上方へ向けた状態で対向配置されている。
【００１８】
また、図４に示すように、２本の角形基材３ｃの回転支軸３ｄ近傍には、これら角形基材３ｃに架設されるようにして角形基材３ｅが固定されている。また２本の角形基材３ｃは、その両ガイドレール３ａ、３ｂの配置される位置の略中央部にロック支持板３ｆを架設し固定している。また前記ロック支持板３ｆの上面には、フック付きのツメを有するロック部材３ｇがそのツメを扉４側へ向けて配設されている。２つの回転支軸３ｄは、略円柱状の形状を成し、前記２本の角形基材３ｃの向かい合う内面の操作部５側のそれぞれの端部に、互いの軸線を同一線上となるように向かい合わされて配置され、固定されている。
【００１９】
さらに、回転支軸３ｄの下方には、支軸受板３ｈが、この入浴装置１０の長手方向と直交する方向に延在して底部１ａに固定されている。支軸受板３ｈの両端には、回転支軸３ｄが軸線回りに回動可能に支持されている。また、ガイドレール３ｂの下方には、上下方向に昇降駆動可能な昇降部（図示省略）が設けられており、この昇降駆動がガイドレール３ｂに伝達する構成とされている。
【００２０】
そして、本実施形態においては、図４に示す支持台３における扉部４側から見て浴槽１の奥側の箇所には、詳しくは図２及び図３に示すようにかつガイドレール３ｂの下部に位置する箇所には、浴槽１の長手方向の操作部５側の反対側に略Ｌ字状に斜め上方に延びるブラケット４１ａと、該ブラケット４１ａの上方端部付近から浴槽１の長手方向と直交する軸に沿って扉部４側へ断面円形に突出した係止突起４１ｂとからなる係止部４１が付設されている。
【００２１】
担架３０は、要介助者を載せた状態で図示しないストレッチャー上に載置されて搬送されるとともに、入浴時には上述の入浴装置１０の支持台３上に載せられるものであり、図５及び図６に示すように、要介助者の下半身が載せられる座部３１と、該座部３１の一端側に連結されこの連結部を支点として傾動可能な背もたれ部３２とを備えている。なお、背もたれ部３２は、ブロー成形により形成されて内部に空気層が存在しており、軽量なものとされている。
【００２２】
また、座部３１の長手方向と平面視直交する方向の両端部には、要介助者の落下を防止するための柵部３１ａが設けられているとともに、背もたれ部３２の上面には長手方向一方の端部側から順にヘッドレスト３２ａ、背もたれ３２ｂが設けられている。そして要介助者が、ヘッドレスト３２ａにその頭部を載せ、長手方向の他方の側に足部を向けるようにして、上半身を背もたれ部３２に、下半身を座部３１に体重を預けてこの担架３０に載せられるようになっている。
【００２３】
また、担架３０の座部３１の裏面には、図５に示すように、ローラー３４ａ、３４ｂがそれぞれ複数ずつ設けられている。これらのローラー３４ａ、３４ｂは担架３０の長手方向と平面視直交する方向に同一線上に並べられ、ローラー３４ａの列とローラー３４ｂの列とが互いに平行に離間するように設けられている。またこれら両ローラー３４ａ、３４ｂの配置される間隔は、入浴装置１０におけるガイドレール３ａ、３ｂが離間して配置される間隔と同一とされている。両ローラー３４ａ、３４ｂは、ローラー支持体３６により軸支されその軸線を中心に回転可能とされ配設されている。
【００２４】
また両ローラー３４ａ、３４ｂの外側には、複数のサイドローラー３５がローラー支持体３６に垂設されている。サイドローラー３５は、その軸線を鉛直方向に向け軸線回りに回転可能とされている。また両ローラー３４ａ、３４ｂの内側にあるローラー支持体３６の夫々の内面には、Ｌアングル３７が設けられている。このＬアングル３７は、入浴装置１０のＬアングル３ｉ、３ｊと若干の隙間を設けて嵌め合わされている。また、両ローラー３４ａ、３４ｂの内側の略中央部には入浴装置１０のロック部材３ｇのツメと係合するためのピンを設けるロック受部３８が備えられ、ロック部材３ｇとロックされ、固定されている。
【００２５】
そして、図６に示す背もたれ部３２の長手方向に平面視直交する方向の一端側（図５における奥側）の裏面には、詳しくは図２及び図３に示すように、背もたれ部３２の裏面から薄板状に垂直に延びるようにして被係止部４２が付設されている。この被係止部４２の端部付近には、背もたれ部３２の長手方向に平面視直交する向きに円形に貫通する係止孔４２ａが設けられている。そして、この被係止部４２と上述の係止部４１とで、背もたれ部３２の傾動を阻止する浮き止め機構４０が構成されている。
【００２６】
また、担架３０は、図５に示すように、背もたれ部３２を倒伏させた状態が要介助者を搬送する際の搬送姿勢とされる一方で、背もたれ部３２を座部３１に対して所定角度で傾斜させた状態が入浴姿勢とされ、座部３１の一端と背もたれ部３２の裏面とを連結するロック付き伸縮アーム５０が収縮している状態が搬送姿勢と、伸張している状態が入浴姿勢とされる。
【００２７】
このロック付き伸縮アーム５０は、詳しくは図７又は図８に示すように、角筒状の固定アーム５１と、該固定アーム５２の内部に挿入されるとともに、長手方向一方側（図７及び図８における右側）にスライド可能な可動アーム５２とを備えており、固定アーム５１の連結部５１ａが座部３１に、可動アーム５２の連結部５２ａが背もたれ部３２にそれぞれ回動可能に取り付けられている。
【００２８】
固定アーム５１の一側面には開口部５３が設けられており、該開口部５３の一縁部が係合縁部５３ａとされている。また、固定アーム５１における開口部５３を備えた一側面に対向する面には、該固定アーム５１の内部に突出するようにして固定ストッパー５４が設けられている。
【００２９】
可動アーム５２における長手方向他方側（図７及び図８における左側）には、側面視にて長方形の対向する二辺がくの字状に切り欠かれた形状を有する回転ストッパー５５が、鉛直面に沿って回転自在に設けられている。この回転ストッパー５５においては、くの字の切り欠き部が係合溝部５６とされている。
【００３０】
次に、上記のように構成される入浴システム６０の作用について説明する。
入浴装置１０は、予め扉部４を下げ開口部２ｂを開口状態とし、支持台３を水平状態にしておく。そして、要介助者が載せられて搬送姿勢とされた担架３０を載置した図示しないストレッチャーを、入浴装置１０の第一側壁２ａの側へ横付けし固定する。
【００３１】
この際、搬送姿勢とされている担架３０を、背もたれ部３２が座部３１に対して所定の角度で傾斜した入浴姿勢へと変形させる。担架３０が図５の実線に示す搬送姿勢とされている場合には、ロック付き伸縮アーム５０は、図７に示すように収縮した状態にある。この状態において、背もたれ部３２を座部３１に対して起立する方向へ移動させる。なお、この背もたれ部３２は、ブロー成形により形成されて内部に空気層が存在しており軽量なものとされているため、容易に人の手によって移動させることができる。そしてこの移動によってロック付き伸縮アーム５０の可動アーム５２が背もたれ部３２に引っ張られるようにして固定アーム５１内から図７における長手方向一方側に、即ち伸張する方向にスライドする。そして、図９（ａ）に示すように回転ストッパー５５が固定ストッパー５４に当接して、回転ストッパー５５が反時計回りに回転させられる。これにともなって、固定アーム５１の開口部５３から回転ストッパー５５の一部が突出する。
【００３２】
この状態においては、可動アーム５２はこれ以上伸張する方向に移動することはできず、これにともなって、背もたれ部３２の座部３１に対して起立する方向への移動が制限される。そして、背もたれ部３２を倒伏させる方向へ移動させようとすると、これによって可動アーム５２が収縮する方向へ僅かにスライドし、固定ストッパー５５における固定アーム５１の開口部５３から突出した部分の係合溝５６が、該開口部５３の係合縁部５３ａと係合して図８に示す状態となる。これにより、可動アーム５２の収縮する方向への移動が阻止されるため、ロック付き伸縮アーム５０がロック状態となり、これをもって担架３０は、図５の二点鎖線で示す、背もたれ部３２が座部３１に対して所定の角度で傾斜した入浴姿勢とされる。
【００３３】
なお、この状態で、ロック付き伸縮アーム５０のロックを解除するには、背もたれ部３２を座部に対して起立する方向に僅かに移動させて、可動アーム５１を伸張する方向にスライドさせる。これによって、回転ストッパー５５が固定ストッパー５４に当接して反時計回りに回転して図９（ｂ）に示す状態となり、この状態から可動アーム５２を収縮する方向へスライドさせても、回転ストッパー５５の係合溝５６と固定アーム５１の係合縁部５３ａが係合することはないため、ロック付伸縮アーム５０は収縮し、担架を搬送姿勢とすることができる。
【００３４】
従って、本実施形態においては、搬送姿勢とされた担架３０の背もたれ部３２を起立する方向へ移動させることで、傾斜状態でロックがかかった入浴姿勢に移行され、この入浴姿勢において背もたれ部３２を起立する方向へ僅かに移動させることでロックが解除されて搬送姿勢に移行させることができる。
【００３５】
そして、入浴姿勢とされて要介助者が載せられた担架３０は、ガイドレール３ａ、３ｂを介して入浴装置１０の支持台３上へ水平移動される。具体的手順としては、まず、担架３０の裏面に備えられた複数のローラー３４ａ、３４ｂがガイドレール３ａ、３ｂの上面にそれぞれ載置されるとともに、複数のサイドローラー３５がガイドレール３ａ、３ｂ外側の面にそれぞれ摺接されるようにして配置される。なお、このサイドローラー３５によって両ローラー３４ａ、３４ｂがガイドレール３ａ、３ｂから担架３０の長手方向に脱落するのが防止される。また、Ｌアングル３７は、Ｌアングル３ｉ、３ｊと遊嵌状態に配置されており、この担架３０が上方へと跳ね上がって脱落するのを防止している。
【００３６】
このようにガイドレール３ａ、３ｂ上の担架３０を水平に押し出し移送する。そして担架３０が、ガイドレール３ａ、３ｂに案内されることによって該ガイドレール３ａ、３ｂの延在する方向の所定の位置まで移動させていくと、ロック受部３８が入浴装置１０のロック部材３ｇと係合されて、担架３０はその長手方向と直交する向きにロックされ支持台３上に固定される。
【００３７】
そして、このように担架３０を、該ガイドレール３ａ、３ｂの延在する方向の所定の位置まで移動させていくと、図２及び図３に示すように、支持台３に設けられた係止部４１の係止突起４１ａが、背もたれ部３２の裏面に付設された被係止部４２の係止孔４２ａに嵌挿される。この係止部４１及び被係止部４２からなる浮き止め機構４０によって、担架３０における背もたれ部３２は、座部３１に対して起立及び倒伏する向きにロックされる。
【００３８】
そして、このように、担架３０が支持台３上に案内された後に、扉部４を上方へと移動させ、開口部２ｂを閉じてこの開口部２ｂの上方を除く周囲３方を液密に密閉させて、湯を浴槽１内に給湯させる。
【００３９】
浴槽１内に湯が満たされた後、介護者はさらに要介助者を肩口まで湯に浸からせるため支持台３を降下させる。この降下は、図示しない昇降部によりなされる。この降下により、支持台３は、水平状態から回転支軸３ｄを回転支点としてガイドレール３ｂ側を降下させるように回転移動させられて傾斜させられていく。このようにして支持台３が降下されると、支持台３に載置される担架３０及び要介助者も同様にして回転支軸３ｄを中心として回転移動し傾斜させられていく。なお、支持台３の傾斜にともなって、支持台３上の担架３０が傾斜した場合であっても、担架３０に付設された被係止部４２と、支持台３に付設された係止部４１の係合が解かれることはないため、背もたれ部３２の座部３１の傾斜角度は一定のまま保持される。
【００４０】
以上のように、本発明の実施形態の入浴システム６０においては、担架３０がガイドレール３ａ、３ｂ上を案内されて支持台３の所定の位置に移動された際に、担架３０の背もたれ部３２に付設された被係止部４２と、支持台に付設された係止部４１が係止することにより、背もたれ部３２の座部３１に対する傾斜角度が固定される。これによって、浴槽内に湯が溜められて担架３０が湯に浸かり、背もたれ部３２に浮力が作用した場合であっても、この浮力によって背もたれ部３２が座部３１に対して起立する方向に移動することはなく、背もたれ部３２の傾斜角度を一定に保つことができる。
【００４１】
このように担架３０が入浴姿勢とされている際に、担架３０の背もたれ部３２を座部３１に対して起立する方向へ移動させると、ロック付き伸縮アーム５０のロックが解除されて背もたれ部３２が倒伏してしまうが、本実施形態においては、係止部４１と被係止部４２とからなる浮き止め機構４０によって背もたれ部３２の座部３１に対する傾斜角度を固定することができるため、浮力によって入浴姿勢のロック解除の動作が行われることはない。従って、要介助者が入浴中に、担架３０の背もたれ部３２が不用意に倒伏することを防ぐことができ、要介助者を安全かつ快適に入浴させることができる。
【００４２】
また、担架３０をガイドレール３ａ、３ｂによって支持台３上に案内する動作をもって、担架３０に付設された被係止部４２とガイドレール３ｂに付設された係止部４１が係止して、背もたれ部３２の座部３１に対する傾斜角度を一定とすることができるため、特別な動作を必要とせず容易に背もたれ部の浮き防止を図ることができる
【００４３】
以上、本発明に係る入浴システム６０の実施の形態について説明したが、本発明は上記した実施の形態に限定されるものではなく、その趣旨を逸脱しない範囲で適宜変更可能である。例えば、本実施形態の浮き止め機構４０は、係止部４１が支持台３に付設されており被係止部４２が背もたれ部３２に付設されているが、係止部４１が背もたれ部３２に、被係止部４２が支持台３２に付設されたものであってもよい。
【図面の簡単な説明】
【００４４】
【図１】本発明の一実施形態に係る入浴システムを示す側面図である。
【図２】図１の入浴システムの浮き止め機構付近の拡大図である。
【図３】図１の入浴システムの浮き止め機構付近の斜視図である。
【図４】入浴装置の平面図である。
【図５】担架の側面図である。
【図６】担架の平面図である。
【図７】収縮した状態のロック付き伸縮アームの側断面図である。
【図８】伸張した状態のロック付き伸縮アームの側断面図である。
【図９】ロック付き伸縮アームの機構説明するための部分拡大図である。
【符号の説明】
【００４５】
１      浴槽
１ａ    底部
３ａ    ガイドレール
３ｂ    ガイドレール
１０    入浴装置
３０    担架
３１    座部
３２    背もたれ部
４０    浮き止め機構
４１    係止部
４２    被係止部
６０    入浴システム
【図１】
0005028180.tif 000002
【図２】
0005028180.tif 000003
【図３】
0005028180.tif 000004
【図４】
0005028180.tif 000005
【図５】
0005028180.tif 000006
【図６】
0005028180.tif 000007
【図７】
0005028180.tif 000008
【図８】
0005028180.tif 000009
【図９】
0005028180.tif 000010